(57)【要約】【課題】導体層の腐食が防止された配線回路基板およびそれを備えた燃料電池を提供する。【解決手段】ＦＰＣ基板１は、例えばポリイミドからなるベース絶縁層２を備える。ベース絶縁層２の一面には、例えば銅からなる導体層３が形成される。導体層３は、一対の矩形の集電部３ａ，３ｂ、および集電部３ａ，３ｂから長尺状に延びる引き出し導体部４ａ，４ｂからなる。導体層３を覆うように、ベース絶縁層２上に被覆層６ａ，６ｂが形成される。被覆層６ａは導体層３の集電部３ａおよび引き出し導体部４ａを覆うように形成され、被覆層６ｂは導体層３の集電部３ｂおよび引き出し導体部４ｂを覆うように形成される。被覆層６ａ，６ｂは、炭素を含有した樹脂組成物からなる。【選択図】図１
2008300238.tif 000002
【特許請求の範囲】
【請求項１】
燃料電池に用いられる配線回路基板であって、
絶縁層と、
前記絶縁層上に設けられ、所定のパターンを有する導体層と、
炭素を含み、前記導体層の表面を被覆する被覆層とを備えることを特徴とする配線回路基板。
【請求項２】
前記被覆層は、炭素を含有する樹脂組成物を含むことを特徴とする請求項１記載の配線回路基板。
【請求項３】
前記絶縁層は、一面および他面を有するとともに、互いに隣接する第１および第２の領域ならびに前記第１の領域に隣接する第３の領域を前記一面に有し、
前記絶縁層は、前記第１の領域と前記第２の領域との間の折曲部で前記第１の領域と前記第２の領域とが対向するように折曲可能であり、
前記導体層は、
前記絶縁層の前記第１の領域内に形成される第１の導体部と、
前記絶縁層の前記第２の領域内に形成される第２の導体部と、
前記第１の導体部から前記絶縁層の前記第３の領域内まで延びるように形成される第１の引き出し部と、
前記第２の導体部から前記絶縁層の前記第３の領域内まで延びるように形成される第２の引き出し部とを有し、
前記被覆層は、
前記第１の導体部および前記第１の引き出し部を被覆する第１の被覆部と、
前記第２の導体部および前記第２の引き出し部を被覆する第２の被覆部とを有することを特徴とする請求項１または２記載の配線回路基板。
【請求項４】
前記絶縁層の前記第１の領域および前記導体層の前記第１の導体部を貫通するように第１の貫通孔が形成され、
前記絶縁層の前記第２の領域および前記導体層の前記第２の導体部を貫通するように第２の貫通孔が形成されたことを特徴とする請求項３記載の配線回路基板。
【請求項５】
請求項３または４記載の配線回路基板と、
電池要素と、
前記配線回路基板および前記電池要素を収容する筐体とを備え、
前記配線回路基板の前記絶縁層の前記第１および第２の領域が前記一面を内側にして前記折曲部に沿って折曲された状態で前記第１および第２の領域間に前記電池要素が配置され、
前記第１の引き出し部の少なくとも一部および前記第２の引き出し部の少なくとも一部が前記筐体の外部に露出するように前記絶縁層の前記第３の領域が前記筐体から外部に引き出されたことを特徴とする燃料電池。
【発明の詳細な説明】
【技術分野】
【０００１】
本発明は、配線回路基板およびそれを用いた燃料電池に関する。
【背景技術】
【０００２】
携帯電話等のモバイル機器には、小型でかつ高容量の電池が求められる。そこで、リチウム二次電池等の従来の電池に比べて、高エネルギー密度を得ることが可能な燃料電池の開発が進められている。燃料電池としては、例えば直接メタノール型燃料電池（Direct Methanol Fuel Cells）がある。
【０００３】
直接メタノール型燃料電池では、メタノールが触媒によって分解され、水素イオンが生成される。その水素イオンと空気中の酸素とを反応させることにより電力を発生させる。この場合、化学エネルギーを極めて効率良く電気エネルギーに変換することができ、非常に高いエネルギー密度を得ることができる。
【０００４】
このような直接メタノール型燃料電池の内部には、集電回路として例えばフレキシブル配線回路基板（以下、ＦＰＣ基板と略記する）が設けられる（例えば特許文献１参照）。ここで、図５を用いて従来の燃料電池の構造を説明する。図５（ａ）は従来の燃料電池に用いられるＦＰＣ基板の平面図であり、図５（ｂ）は従来の燃料電池の構造を示す断面図である。
【０００５】
図５（ａ）に示すように、ＦＰＣ基板５１の一面には、一対の導体層５２ａ，５２ｂが形成される。また、導体層５２ａ，５２ｂから引き出し電極５３ａ，５３ｂがそれぞれ延出するように設けられる。
【０００６】
図５（ｂ）に示すように、燃料電池５０は、ＦＰＣ基板５１、膜電極接合体５４および筐体５５から構成される。膜電極接合体５４は、高分子電解質膜５４ａ、燃料極５４ｂおよび空気極５４ｃからなる。燃料極５４ｂは高分子電解質膜５４ａの一面に形成され、空気極５４ｃは高分子電解質膜５４ａの他面に形成される。筐体５５は、一対の半体５５ａ，５５ｂからなる。半体５５ａには燃料（メタノール）を流入させるための燃料通路５６が設けられ、半体５５ｂには空気を流入させるための空気通路５７が設けられる。
【０００７】
ＦＰＣ基板５１は、導体層５２ａ，５２ｂが形成された一面を内側にして折曲される。折曲されたＦＰＣ基板５１の導体層５２ａ，５２ｂの間に、膜電極接合体５４が挟まれる。ＦＰＣ基板５１の周縁部にはパッキング５８ａ，５８ｂが配設される。この状態で、折曲されたＦＰＣ基板５１が、引き出し電極５３ａ，５３ｂの部分を除いて半体５５ａ，５５ｂからなる筐体５５内に収容される。筐体５５から突出する引き出し電極５３ａ，５３ｂには、電子部品等の種々の外部回路が電気的に接続される。
【０００８】
この燃料電池５０では、半体５５ａの燃料通路５６を通して膜電極接合体５４の燃料極５４ｂにメタノールが供給される。また、半体５５ｂの空気通路５７を通して膜電極接合体５４の空気極５４ｃに空気が供給される。この場合、燃料極５４ｂにおいて、触媒によりメタノールが水素イオンと二酸化炭素とに分解され、電子が生成される。
【０００９】
メタノールから分解された水素イオンは、高分子電解質膜５４ａを透過して空気極５４ｃに達し、空気極５４ｃに供給された空気中の酸素と触媒上で反応する。それにより、空気極５４ｃにおいて、水が生成されつつ電子が消費される。これにより、ＦＰＣ基板５１の導体層５２ａ，５２ｂ間で電子が移動し、外部回路に電力が供給される。
【特許文献１】特開２００４−２０００６４号公報
【発明の開示】
【発明が解決しようとする課題】
【００１０】
一般的に、ＦＰＣ基板５１の導体層５２ａ，５２ｂとしては、銅が用いられる。そのため、燃料電池５０に供給されるメタノール等の酸の影響により、導体層５２ａ，５２ｂが腐食することがある。
【００１１】
本発明の目的は、導体層の腐食が防止された配線回路基板およびそれを備えた燃料電池を提供することである。
【課題を解決するための手段】
【００１２】
（１）第１の発明に係る配線回路基板は、燃料電池に用いられる配線回路基板であって、絶縁層と、絶縁層上に設けられ、所定のパターンを有する導体層と、炭素を含み、導体層の表面を被覆する被覆層とを備えるものである。
【００１３】
この配線回路基板においては、絶縁層上に設けられた導体層の表面が被覆層により被覆されている。被覆層は、炭素を含むことによって導電性を有する。この場合、この配線回路基板を用いた燃料電池において、燃料として供給されるメタノール等の酸が配線回路基板に接触する状態であっても、導体層の集電作用を阻害することなく、導体層の腐食を防止することができる。
【００１４】
また、Ａｕ（金）等の高価な材料を用いなくてもよいので、低コストで導体層の腐食を防止することができる。さらに、被覆層によって導体層のイオンマイグレーションを防止することもできる。
【００１５】
（２）被覆層は、炭素を含有する樹脂組成物を含んでもよい。この場合、被覆層によって導体層の表面を容易かつ確実に被覆することができる。
【００１６】
（３）絶縁層は、一面および他面を有するとともに、互いに隣接する第１および第２の領域ならびに第１の領域に隣接する第３の領域を一面に有し、絶縁層は、第１の領域と第２の領域との間の折曲部で第１の領域と第２の領域とが対向するように折曲可能であり、導体層は、絶縁層の第１の領域内に形成される第１の導体部と、絶縁層の第２の領域内に形成される第２の導体部と、第１の導体部から絶縁層の第３の領域内まで延びるように形成される第１の引き出し部と、第２の導体部から絶縁層の第３の領域内まで延びるように形成される第２の引き出し部とを有し、被覆層は、第１の導体部および第１の引き出し部を被覆する第１の被覆部と、第２の導体部および第２の引き出し部を被覆する第２の被覆部とを有してもよい。
【００１７】
この配線回路基板を燃料電池に用いる場合には、第１の領域と第２の領域とが対向するように第１の領域と第２の領域との間の折曲部で絶縁層が折曲され、第１の導体部と第２の導体部との間に、燃料極および空気極を含む電池要素が挟み込まれる。また、絶縁層の第３の領域が外部に取り出され、絶縁層の第３の領域上の第１の引き出し部の少なくとも一部および第２の引き出し部の少なくとも一部が外部に露出する。
【００１８】
この場合、第１の引き出し部の少なくとも一部および第２の引き出し部の少なくとも一部が同じ面上で近接して露出しているため、第１および第２の引き出し部と外部回路の端子との位置合わせおよび接続を容易かつ正確に行うことができる。したがって、この配線回路基板を用いた燃料電池と外部回路との接続信頼性が向上される。
【００１９】
また、燃料電池内において、燃料として供給されるメタノール等の酸が配線回路基板に接触する状態であっても、第１および第２の導体部の集電作用を阻害することなく、第１および第２の導体部ならびに第１および第２の引き出し部の酸による腐食が防止される。
【００２０】
（４）絶縁層の第１の領域および導体層の第１の導体部を貫通するように第１の貫通孔が形成され、絶縁層の第２の領域および導体層の第２の導体部を貫通するように第２の貫通孔が形成されてもよい。
【００２１】
この場合、この配線回路基板を用いた燃料電池において、第１および第２の貫通孔を通して燃料電池の燃料極および空気極に燃料および空気を供給することができる。
【００２２】
（５）第２の発明に係る燃料電池は、上記（３）または（４）の配線回路基板と、電池要素と、配線回路基板および電池要素を収容する筐体とを備え、配線回路基板の絶縁層の第１および第２の領域が一面を内側にして折曲部に沿って折曲された状態で第１および第２の領域間に電池要素が配置され、第１の引き出し部の少なくとも一部および第２の引き出し部の少なくとも一部が筐体の外部に露出するように絶縁層の第３の領域が筐体から外部に引き出されたものである。
【００２３】
この燃料電池においては、配線回路基板および電池要素が筐体内に収容される。配線回路基板においては、絶縁層上に設けられた導体層の表面が被覆層により被覆されている。被覆層は、炭素を含むことによって導電性を有する。
【００２４】
配線回路基板の絶縁層は、第１の領域と第２の領域とが対向するように第１の領域と第２の領域との間の折曲部で折曲される。折曲された絶縁層上の第１および第２の導体部の間に燃料極および空気極を含む電池要素が配置される。配線回路基板の絶縁層の第３の領域は、第１の引き出し部の少なくとも一部および第２の引き出し部の少なくとも一部が筐体の外部に露出するように、筐体から外部に取り出される。
【００２５】
筐体内には、メタノール等の酸が燃料として供給される。その場合、配線回路基板の導体層の表面が炭素を含む被覆層により被覆されていることにより、導体層の集電作用を妨げることなく、酸による導体層の腐食を防止することができる。また、Ａｕ（金）等の高価な材料を用いなくてもよいので、低コストで導体層の腐食を防止することができる。さらに、被覆層によって導体層のイオンマイグレーションを防止することもできる。
【００２６】
また、筐体の外部において、配線回路基板の第１の引き出し部の少なくとも一部および第２の引き出し部の少なくとも一部が同じ面上で露出する。それにより、第１および第２の引き出し部と外部回路の端子との位置合わせおよび接続を容易かつ正確に行うことができる。したがって、燃料電池と外部回路との接続信頼性が向上される。
【発明の効果】
【００２７】
本発明によれば、メタノール等の酸が配線回路基板に接触する状態であっても、導体層の集電作用を阻害することなく、導体層の腐食を防止することができる。また、Ａｕ（金）等の高価な材料を用いなくてもよいので、低コストで導体層の腐食を防止することができる。さらに、導体層のイオンマイグレーションを防止することもできる。
【発明を実施するための最良の形態】
【００２８】
以下、図面を参照しながら本発明の一実施の形態に係る配線回路基板および燃料電池について説明する。なお、本実施の形態では、配線回路基板の例として、屈曲性を有するフレキシブル配線回路基板について説明する。
【００２９】
（１）フレキシブル配線回路基板の構成
図１（ａ）は本実施の形態に係るフレキシブル配線回路基板の平面図であり、図１（ｂ）は図１（ａ）のフレキシブル配線回路基板のＡ−Ａ線断面図である。以下の説明においては、フレキシブル配線回路をＦＰＣ基板と略記する。
【００３０】
図１（ａ）および図１（ｂ）に示すように、ＦＰＣ基板１は、例えばポリイミドからなるベース絶縁層２を備える。ベース絶縁層２は、矩形の第１絶縁部２ａ、および第１絶縁部２ａの一辺から外側に延びる第２絶縁部２ｂからなる。以下、第１絶縁部２ａの上記一辺とそれに平行な他の一辺とを側辺と称し、第１絶縁部２ａの側辺に垂直な他の一対の辺を端辺と称する。
【００３１】
ベース絶縁層２の第１絶縁部２ａには、端辺に平行でかつ第１絶縁部２ａをほぼ二等分するように折曲部Ｂ１が設けられる。後述のように、第１絶縁部２ａは、折曲部Ｂ１に沿って折曲される。折曲部Ｂ１は、例えば線状の浅い溝であってもよく、または、線状の印等でもよい。あるいは、折曲部Ｂ１で第１絶縁部２ａを折曲可能であれば、折曲部Ｂ１に特に何もなくてもよい。上記第２絶縁部２ｂは、折曲部Ｂ１を境界とする第１絶縁部２ａの一方の領域の側辺から外側に延びるように形成される。
【００３２】
折曲部Ｂ１を境界とする第１絶縁部２ａの一方の領域には、複数（本例では６つ）の開口Ｈ１が形成される。また、折曲部Ｂ１を境界とする第１絶縁部２ａの他方の領域には、複数（本例では６つ）の開口Ｈ２が形成される。
【００３３】
ベース絶縁層２の一面には、例えば銅からなる導体層３が形成される。導体層３は、一対の矩形の集電部３ａ，３ｂ、および集電部３ａ，３ｂから長尺状に延びる引き出し導体部４ａ，４ｂからなる。
【００３４】
集電部３ａ，３ｂの各々は、第１絶縁部２ａの側辺に平行な一対の側辺および第１絶縁部２ａの端辺に平行な一対の端辺を有する。集電部３ａは、折曲部Ｂ１を境界とする第１絶縁部２ａの一方の領域に形成され、集電部３ｂは折曲部Ｂ１を境界とする第１絶縁部２ａの他方の領域に形成される。
【００３５】
ベース絶縁層２の開口Ｈ１上における集電部３ａの部分には、開口Ｈ１よりも径大の開口Ｈ１１が形成される。ベース絶縁層２の開口Ｈ２上における集電部３ｂの部分には、開口Ｈ２よりも径大の開口Ｈ１２が形成される。
【００３６】
引き出し導体部４ａは、集電部３ａの側辺から第２絶縁部２ｂ上に直線状に延びるように形成される。引き出し導体部４ｂは、集電部３ｂの側辺から第２絶縁部２ｂ上に屈曲して延びるように形成される。
【００３７】
導体層３を覆うように、ベース絶縁層２上に被覆層６ａ，６ｂが形成される。被覆層６ａ，６ｂは、炭素（例えばカーボンブラック）を含有した樹脂組成物からなる。被覆層６ａは導体層３の集電部３ａおよび引き出し導体部４ａを覆うように形成され、被覆層６ｂは導体層３の集電部３ｂおよび引き出し導体部４ｂを覆うように形成される。集電部３ａの開口Ｈ１１内において、被覆層６ａはベース絶縁層２の上面に接する。また、集電部３ｂの開口Ｈ１２内において、被覆層６ｂはベース絶縁層２の上面に接する。
【００３８】
なお、引き出し導体部４ａ，４ｂの先端部は被覆層６ａ，６ｂに覆われずに露出する。この露出した引き出し導体部４ａ，４ｂの部分を、以下、引き出し電極５ａ，５ｂと称する。
【００３９】
（２）ＦＰＣ配線回路基板の製造方法
次に、図１に示したＦＰＣ基板１の製造方法を説明する。図２および図３は、ＦＰＣ基板１の製造方法を説明するための工程断面図である。
【００４０】
まず、図２（ａ）に示すように、例えばポリイミドからなる絶縁膜２０と例えば銅からなる導体膜２１とからなる２層基材を用意する。絶縁膜２０の厚みは例えば１２．５μｍであり、導体膜２１の厚みは例えば１２μｍである。
【００４１】
次に、図２（ｂ）に示すように、導電膜２１上に所定のパターンを有するエッチングレジスト２２が形成される。エッチングレジスト２２は、例えば、ドライフィルムレジスト等により導電膜２１上にレジスト膜を形成し、そのレジスト膜を所定のパターンで露光し、その後、現像することにより形成される。
【００４２】
次に、図２（ｃ）に示すように、エッチングにより、エッチングレジスト２１の下の領域を除く導電膜２１の領域が除去される。次に、図２（ｄ）に示すように、エッチングレジスト２１を剥離液により除去する。これにより、絶縁膜２０上に導体層３が形成される。
【００４３】
続いて、図３（ｅ）に示すように、導体層３上に例えばカーボンブラックを含有する樹脂組成物の塗布またはラミネートにより被覆膜２３が形成される。被覆膜２３の厚みは例えば１０μｍである。
【００４４】
次に、図３（ｆ）に示すように、被覆膜２３を所定のパターンで露光し、その後、現像することにより、被覆層６ａ，６ｂが形成される。そして、図３（ｇ）に示すように、絶縁膜２０が所定の形状に切断されることにより、ベース絶縁層２、導体層３および被覆層６ａ，６ｂからなるＦＰＣ基板１が完成する。
【００４５】
なお、ベース絶縁層２の厚みは、５〜５０μｍであることが好ましく、１２．５〜２５μｍであることがより好ましい。導体層３の厚みは、３〜３５μｍであることが好ましく、５〜２０μｍであることがより好ましい。被覆層６の厚みは、５〜２５μｍであることが好ましく、１０〜２０μｍであることがより好ましい。
【００４６】
また、図２および図３では、サブトラクティブ法によるＦＰＣ基板１の製造方法を示したが、これに限定されず、セミアディティブ法等の他の製造方法を用いてもよい。また、図２および図３では、露光法を用いて被覆層６ａ，６ｂを形成する例を示したが、これに限定されず、印刷技術を用いて所定のパターンの被覆膜を形成し、その後、熱硬化処理を行うことに被覆層６ａ，６ｂを形成してもよい。
【００４７】
（３）ＦＰＣ基板を用いた燃料電池
次に、上記のＦＰＣ基板１を用いた燃料電池について説明する。図４（ａ）は、上記のＦＰＣ基板１を用いた燃料電池の外観斜視図であり、図４（ｂ）は、燃料電池内における作用を説明するための図である。
【００４８】
図４（ａ）に示すように、燃料電池３０は、半体３１ａ，３１ｂからなる直方体状の筐体３１を有する。ＦＰＣ基板１は、導体層３（図１）および被覆層６ａ，６ｂが形成された一面を内側にして図１の折曲部Ｂ１に沿って折曲された状態で半体３１ａ，３１ｂにより狭持される。
【００４９】
ＦＰＣ基板１のベース絶縁層２の第２絶縁部２ｂは、半体３１ａ，３１ｂの間から外側に引き出される。それにより、第２絶縁部２ｂ上の引き出し電極５ａ，５ｂが筐体３１の外側に露出した状態になる。引き出し電極５ａ，５ｂには、種々の外部回路の端子が電気的に接続される。
【００５０】
図４（ｂ）に示すように、筐体３１内において、折曲されたＦＰＣ基板１の集電部３ａおよび集電部３ｂの間には、電極膜３５が配置される。電極膜３５は燃料極３５ａ、空気極３５ｂおよび電解質膜３５ｃからなる。燃料極３５ａは電解質膜３５ｃの一面に形成され、空気極３５ｂは電解質膜３５ｃの他面に形成される。電極膜３５の燃料極３５ａはＦＰＣ基板１の集電部３ｂに対向し、空気極３５ｂはＦＰＣ基板１の集電部３ａに対向する。
【００５１】
電極膜３５の燃料極３５ａには、ＦＰＣ基板１の開口Ｈ２，Ｈ１２を通して燃料が供給される。なお、本実施の形態では、燃料としてメタノールを用いる。電極膜３５の空気極３５ｂには、ＦＰＣ基板１の開口Ｈ１，Ｆ１１を通して空気が供給される。
【００５２】
この場合、燃料極３５ａにおいて、メタノールが水素イオンと二酸化炭素とに分解され、電子が生成される。生成された電子は、ＦＰＣ基板１の集電部３ｂから引き出し電極５ｂ（図４（ａ））に導かれる。メタノールから分解された水素イオンは、電解質膜３５ｃを透過して空気極３５ｂに達する。空気極３５ｂにおいて、引き出し電極５ａ（図４（ａ））から集電部３ａに導かれた電子を消費しつつ水素イオンと酸素とが反応し、水が生成される。このようにして、引き出し電極５ａ，５ｂに接続された外部回路に電力が供給される。
【００５３】
（４）本実施の形態の効果
本実施の形態のＦＰＣ基板１では、導体層３の表面が被覆層６ａ，６ｂにより覆われている。そのため、燃料電池３０内において、ＦＰＣ基板１の表面にメタノール等の酸が接触する状態であっても、導体層３が腐食することを防止することができる。また、被覆層６ａ，６ｂが炭素を含むことにより、電極膜３５と導体層３との間の導電性を確保することができる。さらに、Ａｕ（金）等の高価な材料を用いなくてもよいので、低コストで導体層３の腐食を防止することができる。また、被覆層６ａ，６ｂによって導体層３のイオンマイグレーションが防止される。
【００５４】
また、本実施の形態のＦＰＣ基板１では、引き出し電極５ａ，５ｂがベース絶縁層２の共通の第２絶縁部２ｂの同じ面上に並設される。それにより、ＦＰＣ１基板１を用いた燃料電池３０において、引き出し電極５ａ，５ｂと外部回路の端子との位置合わせおよび接続を容易かつ正確に行うことができる。したがって、外部回路と燃料電池３０との接続信頼性が向上する。
【００５５】
なお、ベース絶縁層２の材料は、ポリイミドに限らず、ポリエチレンテレフタレート、ポリエーテルニトリル、ポリエーテルスルフォン等の他の絶縁材料を用いてもよい。
【００５６】
また、導体層３の材料は、銅に限らず、銅合金、アルミニウム等の他の金属材料を用いてもよい。また、被覆層６ａ，６ｂに用いる炭素を含有する樹脂組成物としては、炭素を含有するエポキシ樹脂、炭素を含有するポリイミド樹脂等が挙げられる。また、炭素はカーボンブラックに限定されず、黒鉛等の種々の炭素材料を用いることができる。
【００５７】
（５）請求項の各構成要素と実施の形態の各要素との対応
以下、請求項の各構成要素と実施の形態の各要素との対応の例について説明するが、本発明は下記の例に限定されない。
【００５８】
上記実施の形態では、ベース絶縁層２が絶縁層の例であり、折曲部Ｂ１を境界とする第１絶縁部２ａの一方の領域が第１の領域の例であり、折曲部Ｂ１を境界とする第１絶縁部２ａの他方の領域が第２の領域の例であり、第２絶縁部２ｂが第３の領域の例であり、集電部３ａが第１の導体部の例であり、集電部３ｂが第２の導体部の例であり、引き出し導体部４ａが第１の引き出し部の例であり、引き出し導体部４ｂが第２の引き出し部の例であり、開口Ｈ１，Ｈ１１が第１の貫通孔の例であり、開口Ｈ２，Ｈ１２が第２の貫通孔の例である。また、燃料極３５ａ、空気極３５ｂおよび電解質膜３５ｃが電池要素の例である。
【００５９】
請求項の各構成要素として、請求項に記載されている構成または機能を有する他の種々の要素を用いることもできる。
【産業上の利用可能性】
【００６０】
本発明は、燃料電池に用いる種々の配線回路基板に有効に利用できる。
【図面の簡単な説明】
【００６１】
【図１】本実施の形態に係るフレキシブル配線回路基板の構成を示す図である。
【図２】フレキシブル配線回路基板の製造方法を説明するための工程断面図である。
【図３】フレキシブル配線回路基板の製造方法を説明するための工程断面図である。
【図４】図１のフレキシブル配線回路基板を用いた燃料電池の構成を示す図である。
【図５】従来の配線回路基板を用いた燃料電池を示す図である。
【符号の説明】
【００６２】
１  ＦＰＣ基板  
２  ベース絶縁層  
２ａ  第１絶縁部
２ｂ  第２絶縁部
３  導体層
３ａ，３ｂ  集電部  
４ａ，４ｂ  引き出し導体部
５ａ，５ｂ  引き出し電極
６ａ，６ｂ  被覆層
３０  燃料電池
３１  筐体
３５  電極膜
３５ａ  燃料極
３５ｂ  空気極
３５ｃ  電解質膜
Ｂ１  折曲部
Ｈ１，Ｈ２，Ｈ１１，Ｈ１２  開口
【図１】
2008300238.tif 000003
【図２】
2008300238.tif 000004
【図３】
2008300238.tif 000005
【図４】
2008300238.tif 000006
【図５】
2008300238.tif 000007